(57)【要約】【課題】ＨｅＮＢセルからｅＮＢセルへのハンドオーバが発生する場合においても、オペレータネットワークのリソースを有効に利用するゲートウェイ装置及び通信方法を提供する。【解決手段】インテグレイティドＧＷが、ハンドオーバされるＥ−ＲＡＢ ＩＤと、Ｓ１インタフェースでデータ転送用に用いるＴＥＩＤと、ハンドオーバされるＥ−ＲＡＢデータのフォワーディングを行うＸ２インタフェースでデータ転送用に用いるＴＥＩＤとを関連付けてテーブルに保持し、ＵＥのＨｅＮＢからｅＮＢへのハンドオーバ時に、保持したテーブルを参照して、サービングＧＷから受信したデータをｅＮＢに転送する。【選択図】図９
2013150204.tif 000002
【特許請求の範囲】
【請求項１】
マクロセルを形成する第１の基地局装置と、前記マクロセルより小さいセルを形成する第２の基地局装置との間で交換されるデータに設定される第１のパラメータ、及び、前記第２の基地局装置と上位ノード装置との間で交換されるデータに設定される第２のパラメータを取得し、データコネクション毎に管理する管理手段と、
前記第２の基地局装置と接続する移動端末装置が前記第１の基地局装置へ接続の切り替えを開始するまでの間、前記上位ノード装置から前記第２の基地局装置を経由して前記移動端末装置に送信されるデータをバッファリングし、前記第１の基地局装置へ接続の切り替えを開始した場合、前記データコネクション毎に管理された前記第１のパラメータ及び前記第２のパラメータに基づいて、バッファリングされた前記データを前記第１の基地局装置に送信するバッファリング手段と、
を具備するゲートウェイ装置。
【請求項２】
前記移動端末装置が前記上位ノード装置とのデータコネクションを確立する場合に、前記第２の基地局装置が前記上位ノード装置に送信するメッセージに含まれる、データコネクションを識別するデータコネクション識別子を取得し、
前記第２の基地局装置が前記上位ノード装置からのデータ受信時に前記データコネクションであることを識別する第２の基地局装置下りデータ識別子を取得し、
前記第２の基地局装置下りデータ識別子を、自装置が前記上位ノード装置からのデータ受信時に前記データコネクションであることを識別するゲートウェイ装置下りデータ識別子に変換し、
前記データコネクション識別子、前記第２の基地局装置下りデータ識別子、及び、前記ゲートウェイ装置下りデータ識別子を前記管理手段に通知する、
上位ノード装置メッセージパラメータ管理手段を具備する請求項１に記載のゲートウェイ装置。
【請求項３】
前記移動端末装置が前記第１の基地局装置との接続に切り替える前に、前記第２の基地局装置が前記第１の基地局装置に送信する移動端末装置の接続切り替え準備に必要なメッセージに含まれる、データコネクションを識別するデータコネクション識別子を取得し、
前記第２の基地局装置が前記第１の基地局装置からのメッセージ受信時に前記移動端末装置に対するメッセージであることを識別する第２の基地局装置メッセージ識別子を取得し、
前記第２の基地局装置メッセージ識別子を、自装置が前記第１の基地局装置からのメッセージ受信時に前記移動端末装置に対するメッセージであることを識別する第２の基地局装置向けゲートウェイ装置メッセージ識別子に変換し、
前記データコネクション識別子、前記第２の基地局装置メッセージ識別子、及び、前記第２の基地局装置向けゲートウェイ装置メッセージ識別子を前記管理手段に通知する、
第１の基地局装置メッセージパラメータ管理手段を具備する請求項１に記載のゲートウェイ装置。
【請求項４】
移動端末装置の接続切り替え準備に必要なメッセージの応答メッセージ内に、前記第１の基地局装置がデータ受信時に前記データコネクションのデータであることを識別する第１の基地局装置転送データ識別子が設定されているか否かを判定し、
前記第１の基地局装置転送データ識別子が設定されている場合、データコネクション識別子、及び、前記第１の基地局装置転送データ識別子を取得し、
前記第１の基地局装置転送データ識別子を前記データコネクションのデータであることを、自装置が転送データを受信した際に識別するゲートウェイ装置転送データ識別子に変換し、
前記第１の基地局装置が前記第２の基地局装置からのメッセージ受信時に前記移動端末装置に対するメッセージであることを識別する第１の基地局装置メッセージ識別子を取得し、
前記第１の基地局装置メッセージ識別子を、前記移動端末装置に対するメッセージであることを、自装置が前記第２の基地局装置から前記第１の基地局装置に送信するメッセージの受信時に識別する第１の基地局装置向けゲートウェイ装置メッセージ識別子に変換し、
前記データコネクション識別子、前記第１の基地局装置転送データ識別子、前記ゲートウェイ装置転送データ識別子、前記第１の基地局装置メッセージ識別子、及び、前記第１の基地局装置向けゲートウェイ装置メッセージ識別子を前記管理手段に通知する、
第１の基地局装置メッセージパラメータ管理手段を具備する請求項１に記載のゲートウェイ装置。
【請求項５】
前記バッファリング手段は、前記管理手段において前記第１の基地局装置転送データ識別子が設定されているデータコネクションに対してのみバッファリングを行う、
請求項１に記載のゲートウェイ装置。
【請求項６】
前記第１の基地局装置メッセージパラメータ管理手段は、前記第２の基地局装置と接続する前記移動端末装置が前記第１の基地局装置との接続に切り替えを開始したことを示すメッセージを前記第２の基地局装置から受信した場合、前記メッセージに含まれるデータコネクションのタイマ起動を前記バッファリング手段に通知する、
請求項３又は請求項４に記載のゲートウェイ装置。
【請求項７】
前記バッファリング手段は、第１の基地局装置メッセージパラメータ管理手段からタイマ起動の指示を受けた場合、該当するデータコネクションのタイマを起動し、前記タイマの満了した時点において、バッファリングされた前記データコネクションのデータの前記ゲートウェイ装置転送データ識別子を前記第１の基地局装置転送データ識別子に変換して、前記第１の基地局装置に送信する、
請求項３又は請求項４に記載のゲートウェイ装置。
【請求項８】
前記バッファリング手段は、前記第２の基地局装置と接続する前記移動端末装置が前記第１の基地局装置との接続に切り替える際、前記第２の基地局装置から前記移動端末装置への送信が完了しなかったデータを、前記第２の基地局装置から受信及びバッファリングし、バッファリングしたデータを、前記上位ノード装置から受信したデータより先に前記第１の基地局装置に送信する、
請求項１に記載のゲートウェイ装置。
【請求項９】
前記上位ノード装置から送信されるデータが最後に送られるデータであることを示すマーカーを受信した場合、前記マーカーを前記第１の基地局装置に転送すると共に、前記マーカーを前記第２の基地局装置に転送する上位ノード通信手段を具備する、
請求項１に記載のゲートウェイ装置。
【請求項１０】
前記第１の基地局装置メッセージパラメータ管理手段は、前記第１の基地局装置から前記移動端末装置の接続切り替えが完了したことを示すメッセージを受信した場合、接続切り替えが完了したことを示すメッセージに設定される第２の基地局装置向けゲートウェイ装置メッセージ識別子を含むパラメータ削除通知を前記管理手段に通知し、
前記管理手段は、通知された前記パラメータ削除通知が示す前記第２の基地局装置向けゲートウェイ装置メッセージ識別子を含むデータコネクションの第１のパラメータ及び第２のパラメータを削除する、
請求項３又は請求項４に記載のゲートウェイ装置。
【請求項１１】
マクロセルを形成する第１の基地局装置と、前記マクロセルより小さいセルを形成する第２の基地局装置との間で交換されるデータに設定される第１のパラメータ、及び、前記第２の基地局装置と上位ノード装置との間で交換されるデータに設定される第２のパラメータを取得し、データコネクション毎に管理する管理工程と、
前記第２の基地局装置と接続する移動端末装置が前記第１の基地局装置へ接続の切り替えを開始するまでの間、前記上位ノード装置から前記第２の基地局装置を経由して前記移動端末装置に送信されるデータをバッファリングするバッファリング工程と、
前記第１の基地局装置へ接続の切り替えを開始した場合、前記データコネクション毎に管理された前記第１のパラメータ及び前記第２のパラメータに基づいて、バッファリングされた前記データを前記第１の基地局装置に送信する送信工程と、
を具備する通信方法。
【発明の詳細な説明】
【技術分野】
【０００１】
本発明は、３ＧＰＰ（3rd Generation Partnership Project） Ｅ−ＵＴＲＡＮ（Evolved Universal Terrestrial Radio Access Network）において使用されるＨｅＮＢ（Home eNode B） ＧＷ（Gateway）及びＸ２ ＧＷを物理的に統合したゲートウェイ装置、及び、このゲートウェイ装置を用いた通信方法に関する。
【背景技術】
【０００２】
ＲＬＣ−ＡＭ（Radio Link Control-Acknowledged Mode） ＤＲＢ（Data Radio Bearer）では、ハンドオーバ時に移動元基地局から移動先基地局にＸ２インタフェースを用いてデータをフォワーディングすることができる。具体的には、ＲＬＣ ＡＲＱ（Automatic Repeat reQuest）で送達確認ができていないＤＬ ＰＤＣＰ（Packet Data Convergence Protocol） ＳＤＵ（Service Data Unit）、アウトオブオーダー（Out of Order）のＵＬ ＰＤＣＰ ＳＤＵ、及び、サービングゲートウェイ（以下、「Ｓ−ＧＷ」という）でのパススイッチが完了するまでの間にＳ−ＧＷから送信されるＤＬ ＰＤＣＰ ＳＤＵがフォワーディングされる。
【０００３】
このデータフォワーディングでは、ハンドオーバによるデータ紛失の防止、データ順序性の保証、データ重複の除去を行うことができる。
【０００４】
３ＧＰＰリリース１１（Release 11）では、ＨｅＮＢとマクロセルｅＮＢ（以下、単に「ｅＮＢ」という）間でＸ２インタフェースを使用するために、Ｘ２ ＧＷを用いた方式が検討されている。Ｘ２ ＧＷは、複数のＨｅＮＢのＸ２インタフェースを集約し、ｅＮＢからは１台のＨｅＮＢが接続しているように見せる機能を有する。これにより、ＨｅＮＢの数が増加しても、ｅＮＢのＸ２インタフェースは増加せず、シグナリング負荷を低減することができる。
【０００５】
一方、ＨｅＮＢ ＧＷは、ＨｅＮＢとＭＭＥ（Mobility Management Entity）間に設置され、複数のＨｅＮＢのＳ１インタフェースを集約し、ＭＭＥから１台のＨｅＮＢに見せることができる。これにより、ＭＭＥでのシグナリング負荷を低減することができる。
【０００６】
ここで、ＨｅＮＢは、小型小電力の基地局であり、個人住宅、企業、ショッピングモール等の室内エリア、または、スループットセルとしてホットスポット等に用いられる。
【０００７】
次に、非特許文献１に開示のハンドオーバプロシージャを基に、ＨｅＮＢ ＧＷとＸ２ ＧＷとを統合したインテグレイティドＧＷを用いて、ＨｅＮＢからｅＮＢにハンドオーバを実施した場合のＤＬデータのフォワーディングについて図１に示す。
【０００８】
まず、Ｓ−ＧＷからＨｅＮＢに新たに送信されたデータのフォワーディング経路（図中実線の矢印で示す）について説明する。図１において、（１）では、Ｓ−ＧＷは、Ｓ１インタフェースを用いて、ＨｅＮＢ ＧＷ（インテグレイティドＧＷ）宛てにＧＴＰ−Ｕ（GPRS Tunneling Protocol for User Plane）パケットを送信する。ＧＴＰ−ＵヘッダのＴＥＩＤ（Tunnel Endpoint IDentifier）には、Ｅ−ＲＡＢ（E-UTRAN Radio Access Bearer）確立時にＨｅＮＢ ＧＷによって割り当てられたＴＥＩＤ：Ａが設定される。
【０００９】
（２）では、ＨｅＮＢ ＧＷ（インテグレイティドＧＷ）は、Ｓ１インタフェースを用いて、ＨｅＮＢ１宛てにＧＴＰ−Ｕパケットを送信する。ＧＴＰ−ＵヘッダのＴＥＩＤは、Ｅ−ＲＡＢ確立時にＨｅＮＢによって割り当てられたＴＥＩＤ：Ｂに変更される。
【００１０】
（３）では、ＨｅＮＢは、Ｘ２インタフェースを用いて、Ｘ２ ＧＷ（インテグレイティドＧＷ）宛てにＧＴＰ−Ｕパケットを転送する。ＧＴＰ−ＵヘッダのＴＥＩＤは、ハンドオーバ準備（Handover Preparation）時にＸ２ ＧＷ（インテグレイティドＧＷ）によって割り当てられたＴＥＩＤ：Ｃが設定される。
【００１１】
（４）では、Ｘ２ ＧＷ（インテグレイティドＧＷ）は、Ｘ２インタフェースを用いて、ｅＮＢ宛てにＧＴＰ−Ｕパケットを転送する。ＧＴＰ−ＵヘッダのＴＥＩＤは、ハンドオーバ準備時にｅＮＢによって割り当てられたＴＥＩＤ：Ｄに変更される。
【００１２】
次に、ＨｅＮＢで送達確認が取れなかったデータのフォワーディング経路（図中点線の矢印で示す）について説明する。図１において、（１）’では、ＨｅＮＢは、ＲＬＣ ＡＲＱで送達確認が取れていないＰＤＣＰ ＳＤＵをＸ２ ＧＷ（インテグレイティドＧＷ）宛てにＧＴＰ−Ｕパケットにより転送する。ＧＴＰ−ＵヘッダのＴＥＩＤは、ハンドオーバ準備時にＸ２ ＧＷ（インテグレイティドＧＷ）によって割り当てられたＴＥＩＤ：Ｃが設定される。また、ＧＴＰ−Ｕヘッダには、未送達であったＰＤＣＰ ＰＤＵのシーケンスナンバーが付与される。なお、送信順序の順序性を維持するため、（１）’は（３）より先に行われる。
【００１３】
（２）’では、Ｘ２ ＧＷ（インテグレイティドＧＷ）は、Ｘ２インタフェースを用いて、ｅＮＢ宛てにＧＴＰ−Ｕパケットを転送する。ＧＴＰ−ＵヘッダのＴＥＩＤは、ハンドオーバ準備時にｅＮＢによって割り当てられたＴＥＩＤ：Ｄに変更される。
【先行技術文献】
【非特許文献】
【００１４】
【非特許文献１】3GPP TS36.300 V10.5.0 Evolved Universal Terrestrial Radio Access (E-UTRA) and Evolved Universal Terrestrial Radio Access Network (E-UTRAN); Overall description; Stage 2 (Release 10)
【発明の概要】
【発明が解決しようとする課題】
【００１５】
しかしながら、多くのＨｅＮＢが設置される環境において、ＵＥのＨｅＮＢセルからｅＮＢセルへのハンドオーバが高頻度で発生することがある。このとき、ＨｅＮＢからｅＮＢへは非常に多くのデータがフォワーディングされることになり、オペレータネットワークのリソースを逼迫するという問題がある。
【００１６】
本発明の目的は、ＨｅＮＢセルからｅＮＢセルへのハンドオーバが発生する場合においても、オペレータネットワークのリソースを有効に利用するゲートウェイ装置及び通信方法を提供することである。
【課題を解決するための手段】
【００１７】
本発明のゲートウェイ装置は、マクロセルを形成する第１の基地局装置と、前記マクロセルより小さいセルを形成する第２の基地局装置との間で交換されるデータに設定される第１のパラメータ、及び、前記第２の基地局装置と上位ノード装置との間で交換されるデータに設定される第２のパラメータを取得し、データコネクション毎に管理する管理手段と、前記第２の基地局装置と接続する移動端末装置が前記第１の基地局装置へ接続の切り替えを開始するまでの間、前記上位ノード装置から前記第２の基地局装置を経由して前記移動端末装置に送信されるデータをバッファリングし、前記第１の基地局装置へ接続の切り替えを開始した場合、前記データコネクション毎に管理された前記第１のパラメータ及び前記第２のパラメータに基づいて、バッファリングされた前記データを前記第１の基地局装置に送信するバッファリング手段と、を具備する構成を採る。
【００１８】
本発明の通信方法は、マクロセルを形成する第１の基地局装置と、前記マクロセルより小さいセルを形成する第２の基地局装置との間で交換されるデータに設定される第１のパラメータ、及び、前記第２の基地局装置と上位ノード装置との間で交換されるデータに設定される第２のパラメータを取得し、データコネクション毎に管理する管理工程と、前記第２の基地局装置と接続する移動端末装置が前記第１の基地局装置へ接続の切り替えを開始するまでの間、前記上位ノード装置から前記第２の基地局装置を経由して前記移動端末装置に送信されるデータをバッファリングするバッファリング工程と、前記第１の基地局装置へ接続の切り替えを開始した場合、前記データコネクション毎に管理された前記第１のパラメータ及び前記第２のパラメータに基づいて、バッファリングされた前記データを前記第１の基地局装置に送信する送信工程と、を具備するようにした。
【発明の効果】
【００１９】
本発明によれば、ＨｅＮＢセルからｅＮＢセルへのハンドオーバが発生する場合においても、オペレータネットワークのリソースを有効に利用することができる。
【図面の簡単な説明】
【００２０】
【図１】非特許文献１に開示のハンドオーバプロシージャを基に、インテグレイティドＧＷを用いて、ＨｅＮＢからｅＮＢにハンドオーバを実施した場合のＤＬデータのフォワーディングを示す模式図
【図２】本発明の一実施の形態に係るインテグレイティドＧＷの構成を示すブロック図
【図３】フォワーディングテーブル管理部が管理するテーブルを示す図
【図４】インテグレイティドＧＷを用いたデータフォワーディングの手順を示すシーケンス図
【図５】図４に示したＳＴ２０１の処理（Initial Context Setup Procedure）の手順を示すシーケンス図
【図６】図４に示したＳＴ２０８の処理（Handover Preparation Procedure）の手順を示すシーケンス図
【図７】図４に示したＳＴ２１４の処理（SN Status Transfer）の手順を示すシーケンス図
【図８】図４に示したＳＴ２２８の処理（UE Context Release）の手順を示すシーケンス図
【図９】本発明の一実施の形態に係るインテグレイティドＧＷを用いて、ＨｅＮＢからｅＮＢにハンドオーバを実施した場合のＤＬデータのフォワーディングを示す模式図
【発明を実施するための形態】
【００２１】
以下、本発明の実施の形態について、図面を参照して詳細に説明する。
【００２２】
（一実施の形態）
図２は、本発明の一実施の形態に係るインテグレイティドＧＷ１００の構成を示すブロック図である。以下、図２を用いて、インテグレイティドＧＷ１００の構成について説明する。
【００２３】
ＤＬ Ｓ１インタフェース受信部１０１は、Ｓ−ＧＷから送信されたＤＬ Ｓ１ＡＰメッセージを受信し、受信したＤＬ Ｓ１ＡＰメッセージをＤＬ Ｓ１メッセージ解析部１０２に出力する。また、Ｓ−ＧＷから送信されたＧＴＰ−Ｕデータを受信し、受信したＧＴＰ−ＵデータをＤＬ Ｓ１データバッファリング部１０５に出力する。
【００２４】
ＤＬ Ｓ１メッセージ解析部１０２は、ＤＬ Ｓ１インタフェース受信部１０１から出力されたＤＬ Ｓ１ＡＰメッセージを解析し、解析した結果、ＤＬ Ｓ１ＡＰメッセージがＨｅＮＢへ転送が必要なメッセージ（例えば、INITIAL CONTEXT SETUP REQUESTなど）の場合、ＤＬ Ｓ１ＡＰメッセージをＤＬ Ｓ１メッセージ生成部１０３に出力する。
【００２５】
ＤＬ Ｓ１メッセージ生成部１０３は、ＤＬ Ｓ１メッセージ解析部１０２から出力されたＤＬ Ｓ１ＡＰメッセージのＩＤ値をＨｅＮＢ向けに変更し、ＩＤ値を変更したＤＬ Ｓ１ＡＰメッセージをＤＬ Ｓ１インタフェース送信部１０４に出力する。
【００２６】
ＤＬ Ｓ１インタフェース送信部１０４は、ＤＬ Ｓ１メッセージ生成部１０３から出力されたＤＬ Ｓ１ＡＰメッセージをＨｅＮＢ宛てに送信する。また、ＤＬ Ｓ１データバッファリング部１０５から出力されたＤＬ ＧＴＰ−ＵデータをＨｅＮＢ宛てに送信する。
【００２７】
ＤＬ Ｓ１データバッファリング部１０５は、ＤＬ Ｓ１インタフェース受信部１０１から出力されたＧＴＰ−Ｕデータをバッファリングするか、ＨｅＮＢへ転送するかを、ＧＴＰ−ＵデータのＴＥＩＤがフォワーディングテーブル管理部１２１でフォワーディング対象のＥ−ＲＡＢとして設定されているか否かを問い合わせて判定する。
【００２８】
ＧＴＰ−ＵデータをＨｅＮＢへ転送すると判定した場合、ＤＬ Ｓ１データバッファリング部１０５はＧＴＰ−ＵデータをＤＬ Ｓ１インタフェース送信部１０４に出力する。一方、ＧＴＰ−Ｕデータをバッファリングすると判定した場合、ＤＬ Ｓ１データバッファリング部１０５はＧＴＰ−Ｕデータをバッファリングする。
【００２９】
また、ＤＬ Ｓ１データバッファリング部１０５は、バッファリングタイマ管理部１２０からタイマ満了と共にＥ−ＲＡＢ ＩＤ（データコネクション識別子）の通知を受けると、通知されたＥ−ＲＡＢ ＩＤに従って、バッファリングしているＧＴＰ−Ｕデータをフォワーディングデータ生成部１１９に出力する。
【００３０】
さらに、ＤＬ Ｓ１データバッファリング部１０５は、ＤＬ Ｓ１インタフェース受信部１０１から出力されたＧＴＰ−Ｕデータがエンドマーカー（End Marker）である場合、このＧＴＰ−Ｕデータをフォワーディングデータ生成部１１９及びＤＬ Ｓ１インタフェース送信部１０４に出力する。
【００３１】
ＵＬ Ｓ１インタフェース受信部１０６は、ＨｅＮＢから送信されたＵＬ Ｓ１ＡＰメッセージを受信し、受信したＵＬ Ｓ１ＡＰメッセージをＵＬ Ｓ１メッセージ解析部１０７に出力する。
【００３２】
ＵＬ Ｓ１メッセージ解析部１０７は、ＵＬ Ｓ１インタフェース受信部１０６から出力されたＵＬ Ｓ１ＡＰメッセージを解析し、解析した結果、ＵＬ Ｓ１ＡＰメッセージがＳ−ＧＷへ転送が必要なメッセージ（例えば、INITIAL CONTEXT SETUP RESPONSEなど）の場合、ＵＬ Ｓ１ＡＰメッセージをＵＬ Ｓ１メッセージ生成部１０８に出力する。また、解析した結果、ＵＬ Ｓ１ＡＰメッセージがＩＮＩＴＩＡＬ ＣＯＮＴＥＸＴ ＳＥＴＵＰ ＲＥＳＰＯＮＳＥである場合、ＵＬ Ｓ１メッセージ解析部１０７は、メッセージ内からＥ−ＲＡＢ ＩＤ及びＨｅＮＢで割り当てられたＧＴＰのＴＥＩＤを取得し、フォワーディングテーブル管理部１２１に出力する。
【００３３】
ＵＬ Ｓ１メッセージ生成部１０８は、ＵＬ Ｓ１メッセージ解析部１０７から出力されたＵＬ Ｓ１ＡＰメッセージのＩＤ値をＭＭＥ向けに変更し、ＩＤ値を変更したＵＬ Ｓ１ＡＰメッセージをＵＬ Ｓ１インタフェース送信部１０９に出力する。また、ＵＬ Ｓ１メッセージ生成部１０８は、ＵＬ Ｓ１ＡＰメッセージがＩＮＩＴＩＡＬ ＣＯＮＴＥＸＴ ＳＥＴＵＰ ＲＥＳＰＯＮＳＥである場合、メッセージ内からＥ−ＲＡＢ ＩＤ及びインテグレイティドＧＷで割り当てられたＧＴＰのＴＥＩＤを取得し、フォワーディングテーブル管理部１２１に出力する。
【００３４】
ＵＬ Ｓ１インタフェース送信部１０９は、ＵＬ Ｓ１メッセージ生成部１０８から出力されたＵＬ Ｓ１ＡＰメッセージをＳ−ＧＷ宛てに送信する。
【００３５】
ＨｅＮＢ宛てＸ２インタフェース受信部１１０は、ｅＮＢから送信されたＨｅＮＢ宛てＸ２ＡＰメッセージを受信し、受信したＨｅＮＢ宛てＸ２ＡＰメッセージをＨｅＮＢ宛てＸ２メッセージ解析部１１１に出力する。
【００３６】
ＨｅＮＢ宛てＸ２メッセージ解析部１１１は、ＨｅＮＢ宛てＸ２インタフェース受信部１１０から出力されたＨｅＮＢ宛てＸ２ＡＰメッセージを解析し、解析した結果、ＨｅＮＢ宛てＸ２ＡＰメッセージがＨｅＮＢへ転送が必要なメッセージ（例えば、HANDOVER REQUEST ACKNOWLEDGE, UE CONTEXT RELEASEなど）の場合、ＨｅＮＢ宛てＸ２ＡＰメッセージをＨｅＮＢ宛てＸ２メッセージ生成部１１２に出力する。
【００３７】
また、ＨｅＮＢ宛てＸ２メッセージ解析部１１１は、解析したメッセージがＨＡＮＤＯＶＥＲ ＲＥＱＵＥＳＴ ＡＣＫＮＯＷＬＥＤＧＥであり、かつ、メッセージ内にＤＬ ＧＴＰ Ｔｕｎｎｅｌ Ｅｎｄ Ｐｏｉｎｔが設定されている場合、該当するＥ−ＲＡＢ ＩＤについてＤＬデータフォワーディングを行うと判断し、この判断結果をフォワーディングテーブル管理部１２１に通知する。
【００３８】
また、ＨｅＮＢ宛てＸ２メッセージ解析部１１１は、解析したメッセージがＨＡＮＤＯＶＥＲ ＲＥＱＵＥＳＴ ＡＣＫＮＯＷＬＥＤＧＥである場合、Ｅ−ＲＡＢ ＩＤ、ｅＮＢで割り当てられたＤＬ ＧＴＰ Ｔｕｎｎｅｌ Ｅｎｄ Ｐｏｉｎｔ、ｅＮＢで割り当てられたＮｅｗ ｅＮＢ ＵＥ Ｘ２ＡＰ ＩＤ、及び、インテグレイティドＧＷで割り当てられたＮｅｗ ｅＮＢ ＵＥ Ｘ２ＡＰ ＩＤを取得し、フォワーディングテーブル管理部１２１に出力する。
【００３９】
さらに、ＨｅＮＢ宛てＸ２メッセージ解析部１１１は、解析したメッセージがＵＥ ＣＯＮＴＥＸＴ ＲＥＬＥＡＳＥである場合、メッセージ内で示されるインテグレイティドＧＷで割り当てられたＯｌｄ ｅＮＢ ＵＥ Ｘ２ＡＰ ＩＤと、ｅＮＢで割り当てられたＮｅｗ ｅＮＢ ＵＥ Ｘ２ＡＰ ＩＤと共に、テーブル解放指示をフォワーディングテーブル管理部１２１に出力する。
【００４０】
ＨｅＮＢ宛てＸ２メッセージ生成部１１２は、ＨｅＮＢ宛てＸ２メッセージ解析部１１１から出力されたＨｅＮＢ宛てＸ２ＡＰメッセージのＩＤ値をＨｅＮＢ向けに変更し、ＩＤ値を変更したＨｅＮＢ宛てＸ２ＡＰメッセージをＨｅＮＢ宛てＸ２インタフェース送信部１１３に出力する。
【００４１】
ＨｅＮＢ宛てインタフェース送信部１１３は、ＨｅＮＢ宛てＸ２メッセージ生成部１１２から出力されたＨｅＮＢ宛てＸ２ＡＰメッセージをＨｅＮＢ宛てに送信する。
【００４２】
ｅＮＢ宛てＸ２インタフェース受信部１１４は、ＨｅＮＢから送信されたｅＮＢ宛てＸ２ＡＰメッセージを受信し、受信したｅＮＢ宛てＸ２ＡＰメッセージをｅＮＢ宛てＸ２メッセージ解析部１１５に出力する。また、ｅＮＢ宛てＸ２インタフェース受信部１１４は、ＨｅＮＢから送信されたフォワーディングＧＴＰ−Ｕデータを受信し、受信したフォワーディングＧＴＰ−Ｕデータをフォワーディングデータバッファリング部１１８に出力する。
【００４３】
ｅＮＢ宛てＸ２メッセージ解析部１１５は、ｅＮＢ宛てＸ２インタフェース受信部１１４から出力されたｅＮＢ宛てＸ２ＡＰメッセージを解析し、解析した結果、ｅＮＢ宛てＸ２ＡＰメッセージがｅＮＢへ転送が必要なメッセージ（例えば、HANDOVER REQUEST, SN STATUS TRANSFERなど）の場合、ｅＮＢ宛てＸ２ＡＰメッセージをｅＮＢ宛てＸ２メッセージ生成部１１６に出力する。
【００４４】
また、ｅＮＢ宛てＸ２メッセージ解析部１１５は、解析したメッセージがＨＡＮＤＯＶＥＲ ＲＥＱＵＥＳＴである場合、メッセージ内からＥ−ＲＡＢ ＩＤ、ＨｅＮＢで割り当てられたＯｌｄ ｅＮＢ ＵＥ Ｘ２ＡＰ ＩＤを取得し、フォワーディングテーブル管理部１２１に出力する。
【００４５】
さらに、ｅＮＢ宛てＸ２メッセージ解析部１１５は、解析したメッセージがＳＮ ＳＴＡＴＵＳ ＴＲＡＮＳＦＥＲである場合、メッセージ内のＥ−ＲＡＢ ＩＤについて、バッファリングタイマの起動をバッファリングタイマ管理部１２０に通知する。
【００４６】
ｅＮＢ宛てＸ２メッセージ生成部１１６は、ｅＮＢ宛てメッセージ解析部１１５から出力されたｅＮＢ宛てＸ２ＡＰメッセージのＩＤ値をｅＮＢ向けに変更し、ＩＤ値を変更したｅＮＢ宛てＸ２ＡＰメッセージをｅＮＢ宛てＸ２インタフェース送信部１１７に出力する。また、メッセージがＨＡＮＤＯＶＥＲ ＲＥＱＵＥＳＴである場合、メッセージ内からＥ−ＲＡＢ ＩＤ、インテグレイティドＧＷで割り当てられたＯｌｄ ｅＮＢ ＵＥ Ｘ２ＡＰ ＩＤを取得し、フォワーディングテーブル管理部１２１に出力する。
【００４７】
ｅＮＢ宛てＸ２インタフェース送信部１１７は、ｅＮＢ宛てＸ２メッセージ生成部１１６から出力されたｅＮＢ宛てＳ１ＡＰメッセージをｅＮＢ宛てに送信する。また、ｅＮＢ宛てＸ２インタフェース送信部１１７は、フォワーディングデータ生成部１１９から出力されたｅＮＢ宛てＧＴＰ−ＵデータをｅＮＢ宛てに送信する。
【００４８】
フォワーディングデータバッファリング部１１８は、ｅＮＢ宛てＸ２インタフェース受信部１１４から出力されたフォワーディングＧＴＰ−Ｕデータをバッファリングするか、ｅＮＢへ転送するかを、ＧＴＰ−ＵデータのＴＥＩＤがフォワーディングテーブル管理部１２１でフォワーディング対象のＥ−ＲＡＢとして設定されているか否かを問い合わせて判定する。
【００４９】
ＧＴＰ−ＵデータをｅＮＢへ転送すると判定した場合、フォワーディングデータバッファリング部１１８はＧＴＰ−Ｕデータをフォワーディングデータ生成部１１９に出力する。一方、ＧＴＰ−Ｕデータをバッファリングすると判定した場合、フォワーディングデータバッファリング部１１８はＧＴＰ−Ｕデータをバッファリングする。
【００５０】
また、フォワーディングデータバッファリング部１１８は、バッファリングタイマ管理部１２０からタイマ満了と共にＥ−ＲＡＢ ＩＤの通知を受けると、通知されたＥ−ＲＡＢ ＩＤに従って、バッファリングしているＧＴＰ−Ｕデータをフォワーディングデータ生成部１１９に出力する。
【００５１】
フォワーディングデータ生成部１１９は、フォワーディングデータバッファリング部１１８から出力されたＧＴＰ−ＵデータをＤＬ Ｓ１データバッファリング部１０５から出力されたＧＴＰ−Ｕデータより先に送信するための順序制御を行う。また、フォワーディングデータ生成部１１９は、送信するＧＴＰ−ＵヘッダのＴＥＩＤをフォワーディングテーブル管理部１２１に通知し、ｅＮＢで割り当てられたＤＬ ＧＴＰ Ｔｕｎｎｅｌ Ｅｎｄ Ｐｏｉｎｔを問い合わせ、ＧＴＰ−ＵヘッダのＴＥＩＤを変更し、ＴＥＩＤを変更したＧＴＰ−ＵデータをｅＮＢ宛てＸ２インタフェース送信部１１７に出力する。
【００５２】
バッファリングタイマ管理部１２０は、ｅＮＢ宛てＸ２メッセージ解析部１１５からの起動通知に従って、同じく通知されたＥ−ＲＡＢ ＩＤのためのバッファリングタイマを起動する。バッファリングタイマが満了すると、バッファリングタイマ管理部１２０は、満了したＥ−ＲＡＢ ＩＤをＤＬ Ｓ１データバッファリング部１０５及びフォワーディングデータバッファリング部１１８に通知する。
【００５３】
フォワーディングテーブル管理部１２１は、ＵＬ Ｓ１メッセージ解析部１０７、ＵＬ Ｓ１メッセージ生成部１０８、ｅＮＢ宛てＸ２メッセージ解析部１１５、ｅＮＢ宛てＸ２メッセージ生成部１１６、及び、ＨｅＮＢ宛てＸ２メッセージ解析部１１１から出力された情報をＥ−ＲＡＢ ＩＤをインデックスとしてテーブルに保持する。
【００５４】
また、フォワーディングテーブル管理部１２１は、ＨｅＮＢ宛てＸ２メッセージ解析部１１１からテーブル解放指示が出力された場合、ＨｅＮＢ宛てＸ２メッセージ解析部１１１から通知されたＯｌｄ ｅＮＢ ＵＥ Ｘ２ＡＰ ＩＤとＮｅｗ ｅＮＢ ＵＥ Ｘ２ＡＰ ＩＤとからＥ−ＲＡＢ ＩＤを検索し、該当するＥ−ＲＡＢ ＩＤのテーブル情報を削除する。
【００５５】
また、フォワーディングテーブル管理部１２１は、ＤＬ Ｓ１データバッファリング部１０５からの問い合わせに対して、問い合わされたＤＬ ＧＴＰ−ＵパケットのＴＥＩＤがフォワーディング対象のＥ−ＲＡＢであるか否かを判定し、その結果を返送する。
【００５６】
また、フォワーディングテーブル管理部１２１は、フォワーディングデータバッファリング部１１８からの問い合わせに対して、問い合わされたフォワーディングＧＴＰ−ＵパケットのＴＥＩＤがフォワーディング対象のＥ−ＲＡＢであるか否かを判定し、その結果を返送する。
【００５７】
さらに、フォワーディングテーブル管理部１２１は、フォワーディングデータ生成部１１９からの問い合わせに対して、インテグレイティドＧＷで割り当てられたＴＥＩＤに基づいて、ｅＮＢで割り当てられたＴＥＩＤを検索し、検索結果を返送する。
【００５８】
フォワーディングテーブル管理部１２１は、図３に示すように、Ｅ−ＲＡＢ ＩＤをインデックスとして、各種パラメータをインデックス毎に管理する。
【００５９】
次に、上述したインテグレイティドＧＷを用いたデータフォワーディングの手順について図４を参照して説明する。図４において、ステップ（以下、「ＳＴ」という）２０１では、ＨｅＮＢ、インテグレイティドＧＷ、ｅＮＢ及びＭＭＥにおいて、イニシャルコンテキストセットアップ（Initial Context Setup）が行われ、ＳＴ２０２では、ＨｅＮＢ、インテグレイティドＧＷ、ｅＮＢ、ＭＭＥ及びＳ−ＧＷにおいて、エリアリストリクション（Area Restriction Provided）が行われる。
【００６０】
ＳＴ２０３では、ＨｅＮＢからＵＥにメジャメントコントロール（Measurement Control）が行われ、ＳＴ２０４では、ＵＥ及びＨｅＮＢ間、ＨｅＮＢ及びインテグレイティドＧＷ間、インテグレイティドＧＷ及びＳ−ＧＷ間においてパケットデータの送受信が行われる。
【００６１】
ＳＴ２０５では、ＨｅＮＢからＵＥへＵＬアロケーション（UL allocation）が行われ、ＳＴ２０６では、ＵＥからＨｅＮＢへメジャメントレポート（Measurement Report）が送信される。
【００６２】
ＳＴ２０７では、ＨｅＮＢがハンドオーバを決定（Handover decision）し、ＳＴ２０８では、ＨｅＮＢ、インテグレイティドＧＷ及びｅＮＢにおいてハンドオーバ準備（Handover Preparation）が行われる。
【００６３】
ＳＴ２０９では、ＨｅＮＢからＵＥへＤＬアロケーション（DL allocation）が行われ、ＳＴ２１０では、ＨｅＮＢからＵＥへモビリティコントロールインフォメーション（mobility control information）が送信される。
【００６４】
ＳＴ２１１では、Ｓ−ＧＷからインテグレイティドＧＷへパケットデータが送信される。
【００６５】
ＳＴ２１２では、ＵＥが移動元セルとの接続を遮断し、移動先セルとの同期をとり、ＳＴ２１３では、ＨｅＮＢがバッファリングしているＵＥへの送達確認が完了していないパケットデータ及びインテグレイティドＧＷから送信されるパケットデータをｅＮＢに送信する。
【００６６】
ＳＴ２１４では、ＨｅＮＢ、インテグレイティドＧＷ及びｅＮＢにおいて、ＳＮステータストランスファー（SN Status Transfer）が行われ、ＳＴ２１５では、ＨｅＮＢからインテグレイティドＧＷへ、インテグレイティドＧＷからｅＮＢへデータフォワーディング（Data Forwarding）が行われ、ＳＴ２１６では、ｅＮＢがＨｅＮＢからのパケットをバッファする。
【００６７】
ＳＴ２１７では、ＵＥからｅＮＢへ同期獲得の通知を行い、ＳＴ２１８では、ｅＮＢからＵＥへＵＬアロケーション（UL allocation）及びタイミングアドバンス（TA for UE）を行う。
【００６８】
ＳＴ２１９では、ＵＥからｅＮＢへＲＲＣコネクションリコンフィギュレーション（RRC Connection Reconfiguration）の完了を通知し、ＳＴ２２０では、ＵＥ及びｅＮＢ間、ｅＮＢのパケットデータの送受信及びｅＮＢからＳ−ＧＷへのパケットデータの送信が行われる。
【００６９】
ＳＴ２２１では、ｅＮＢからＭＭＥへパス切り替え要求（Path Switch Request）を行い、ＳＴ２２２では、ＭＭＥからＳ−ＧＷへベアラ修正要求（Modify Bearer Request）を行う。
【００７０】
ＳＴ２２３では、Ｓ−ＧＷがＤＬパスの切り替えを行い、Ｓ−ＧＷからインテグレイティドＧＷへエンドマーカーを送信し、ＳＴ２２４では、Ｓ−ＧＷ及びｅＮＢ間においてパケットデータの送受信を行う。
【００７１】
ＳＴ２２５では、インテグレイティドＧＷがエンドマーカーを受信すると、受信したエンドマーカーをｅＮＢ及びＨｅＮＢへ送信する。
【００７２】
ＳＴ２２６では、Ｓ−ＧＷからＭＭＥへベアラ修正応答（Modify Bearer Response）を送信し、ＳＴ２２７では、ＭＭＥがｅＮＢへパス切り替え肯定（Path Switch Request Ack）を送信する。
【００７３】
ＳＴ２２８では、ｅＮＢ、インテグレイティドＧＷ及びＨｅＮＢにおいて、ＵＥコンテキスト解放（UE Context Release）が行われ、ＳＴ２２９では、ＨｅＮＢがリソースを解放（Release Resources）する。
【００７４】
次に、図４に示したＳＴ２０１の処理（Initial Context Setup）について図５を用いて詳細に説明する。図５において、ＳＴ３０１では、ＭＭＥがインテグレイティドＧＷへＩＮＩＴＩＡＬ ＣＯＮＴＥＸＴ ＳＥＴＵＰ ＲＥＱＵＥＳＥＴ（Ｅ-ＲＡＢ ＩＤ： Ｘ（データコネクション識別子））を送信し、ＳＴ３０２では、インテグレイティドＧＷがＨｅＮＢへＩＮＩＴＩＡＬ ＣＯＮＴＥＸＴ ＳＥＴＵＰ ＲＥＱＵＥＳＴ（Ｅ-ＲＡＢ ＩＤ： Ｘ）を送信する。
【００７５】
ＳＴ３０３では、ＨｅＮＢがインテグレイティドＧＷへＩＮＩＴＩＡＬ ＣＯＮＴＥＸＴ ＳＥＴＵＰ ＲＥＳＰＯＮＳＥ（Ｅ-ＲＡＢ ＩＤ： Ｘ, ＧＴＰ-ＴＥＩＤ： Ｂ）を送信する。
【００７６】
ＳＴ３０４では、インテグレイティドＧＷがＥ−ＲＡＢ ＩＤ：Ｘをインデックスとして、このインデックスに、ＨｅＮＢで割り当てを行うＧＴＰ−ＴＥＩＤ：Ｂ（ＨｅＮＢ Ｓ１ ＴＥＩＤ（第２の基地局装置下りデータ識別子））、ＨｅＮＢ ＧＷで割り当てを行うＧＴＰ−ＴＥＩＤ：Ａ（ＨｅＮＢ ＧＷ Ｓ１ ＴＥＩＤ（ゲートウェイ装置下りデータ識別子））を関連付けて保持する。
【００７７】
ＳＴ３０５では、インテグレイティドＧＷがＭＭＥへＩＮＩＴＩＡＬ ＣＯＮＴＥＸＴ ＳＥＴＵＰ ＲＥＳＰＯＮＳＥ（Ｅ-ＲＡＢ ＩＤ： Ｘ, ＧＴＰ-ＴＥＩＤ： Ａ）を送信する。
【００７８】
次に、図４に示したＳＴ２０８の処理（Handover Preparation）について図６を用いて詳細に説明する。図６において、ＳＴ４０１では、ＨｅＮＢからインテグレイティドＧＷへハンドオーバ要求（ＨＡＮＤＯＶＥＲ ＲＥＱＵＥＳＴ（Ｏｌｄ ｅＮＢ ＵＥ Ｘ２ＡＰ ＩＤ：Ｓ，Ｅ−ＲＡＢ：Ｘ））を行い、ＳＴ４０２では、Ｅ−ＲＡＢ ＩＤ：Ｘをインデックスとして、このインデックスに、ＨｅＮＢで割り当てを行うＯｌｄ ｅＮＢ ＵＥ Ｘ２ＡＰ ＩＤ：Ｓ（Ｏｌｄ ＨｅＮＢ ＵＥ Ｘ２ＡＰ ＩＤ（第２の基地局装置メッセージ識別子））、Ｘ２ ＧＷで割り当てを行うＯｌｄ ｅＮＢ ＵＥ Ｘ２ＡＰ ＩＤ：Ｔ（Ｏｌｄ Ｘ２ ＧＷ ＵＥ Ｘ２ＡＰ ＩＤ（第２の基地局装置向けゲートウェイ装置メッセージ識別子））を関連付けて保持する。
【００７９】
ＳＴ４０３では、インテグレイティドＧＷからｅＮＢへハンドオーバ要求（ＨＡＮＤＯＶＥＲ ＲＥＱＵＥＳＴ（Ｏｌｄ ｅＮＢ ＵＥ Ｘ２ＡＰ ＩＤ：Ｔ，Ｅ−ＲＡＢ：Ｘ））を行い、ＳＴ４０４では、ｅＮＢがインテグレイティドＧＷへハンドオーバ要求肯定（ＨＡＮＤＯＶＥＲ ＲＥＱＵＥＳＴ ＡＣＫＮＯＷＬＥＤＧＥ（Ｏｌｄ ｅＮＢ ＵＥ Ｘ２ＡＰ ＩＤ：Ｔ，Ｎｅｗ ｅＮＢ ＵＥ Ｘ２ＡＰ ＩＤ：Ｕ，Ｅ−ＲＡＢ：Ｘ，ＤＬ ＧＴＰ Ｔｕｎｎｅｌ Ｅｎｄ Ｐｏｉｎｔ：Ｄ））を送信する。
【００８０】
ＳＴ４０５では、ＤＬ ＧＴＰ Ｔｕｎｎｅｌ Ｅｎｄ Ｐｏｉｎｔがメッセージ内で設定されている場合、インテグレイティドＧＷがＥ−ＲＡＢ ＩＤ：ＸのＤＬデータのデータフォワーディングを行うと判断する。また、インテグレイティドＧＷは、ｅＮＢで割り当てを行うＤＬ ＧＴＰ Ｔｕｎｎｅｌ Ｅｎｄ Ｐｏｉｎｔ：Ｄ（ｅＮＢ Ｘ２ ＴＥＩＤ（第１の基地局装置転送データ識別子））、Ｘ２ ＧＷで割り当てを行うＤＬ ＧＴＰ Ｔｕｎｎｅｌ Ｅｎｄ Ｐｏｉｎｔ： Ｃ（Ｘ２ ＧＷ Ｘ２ ＴＥＩＤ（ゲートウェイ装置転送データ識別子））、ｅＮＢで割り当てを行うＮｅｗ ｅＮＢ ＵＥ Ｘ２ＡＰ ＩＤ: Ｕ（Ｎｅｗ ｅＮＢ Ｘ２ＡＰ ＩＤ（第１の基地局メッセージ識別子））、Ｘ２ ＧＷで割り当てを行うＮｅｗ ｅＮＢ ＵＥ Ｘ2ＡＰ ＩＤ: Ｖ（Ｎｅｗ Ｘ２ ＧＷ Ｘ２ＡＰ ＩＤ（第１の基地局装置向けゲートウェイ装置メッセージ識別子））をＥ−ＲＡＢ ＩＤ：Ｘと関連付けて保持する。
【００８１】
ＳＴ４０６では、インテグレイティドＧＷがＳ−ＧＷからＤＬ ＧＴＰ−Ｕデータ（ＴＥＩＤ：Ａ）を受信すると共に、データフォワーディングを行うＥ−ＲＡＢについて、Ｓ−ＧＷから送信されるＤＬ ＧＴＰ−Ｕデータのバッファリングを開始する。なお、バッファリング対象のＧＴＰ−Ｕデータは、データのヘッダ内に設定されるＴＥＩＤ値と、インテグレイティドＧＷが保持するＨｅＮＢ ＧＷ Ｓ1 ＴＥＩＤの値とが等しいか否かによって判断される。
【００８２】
ＳＴ４０７では、インテグレイティドＧＷがＨｅＮＢへハンドオーバ要求肯定（ＨＡＮＤＯＶＥＲ ＲＥＱＵＥＳＴ ＡＣＫＮＯＷＬＥＤＧＥ（Ｏｌｄ ｅＮＢ ＵＥ Ｘ２ＡＰ ＩＤ：Ｓ，Ｎｅｗ ｅＮＢ ＵＥ Ｘ２ＡＰ ＩＤ：Ｖ，Ｅ−ＲＡＢ：Ｘ，ＤＬ ＧＴＰ Ｔｕｎｎｅｌ Ｅｎｄ Ｐｏｉｎｔ：Ｃ））を送信する。
【００８３】
ＳＴ４０８では、インテグレイティドＧＷがＨｅＮＢからＤＬフォワーディングＧＴＰ−Ｕデータ（ＴＥＩＤ：Ｃ）を受信すると共に、データフォワーディングを行うＥ−ＲＡＢについて、ＨｅＮＢから送信されるＤＬフォワーディングＧＴＰ−Ｕデータのバッファリングを開始する。なお、バッファリング対象のＧＴＰ−Ｕデータは、データのヘッダ内に設定されるＴＥＩＤ値と、インテグレイティドＧＷが保持するＸ２ ＧＷ Ｘ２ ＴＥＩＤの値とが等しいか否かによって判断される。
【００８４】
次に、図４に示したＳＴ２１４の処理（SN Status Transfer）について図７を用いて詳細に説明する。図７において、ＳＴ５０１では、インテグレイティドＧＷがＨｅＮＢからＳＮ ＳＴＡＴＵＳ ＴＲＡＮＳＦＥＲ（Ｅ-ＲＡＢ ＩＤ：Ｘ）を受信すると共に、この受信を契機として、Ｅ−ＲＡＢ ＩＤ：Ｘのためのタイマを起動する。
【００８５】
ＳＴ５０２では、インテグレイティドＧＷがｅＮＢへＳＮ ＳＴＡＴＵＳ ＴＲＡＮＳＦＥＲ（Ｅ−ＲＡＢ ＩＤ：Ｘ）を送信し、ＳＴ５０３では、インテグレイティドＧＷがＳ−ＧＷからＤＬ ＧＴＰ−Ｕデータ（ＴＥＩＤ：Ａ）を受信すると共に、受信したデータをバッファリングする。
【００８６】
ＳＴ５０４では、インテグレイティドＧＷがＨｅＮＢからフォワーディングＤＬ ＧＴＰ−Ｕデータ（ＴＥＩＤ：Ｃ）が受信すると共に、受信したデータをバッファリングする。
【００８７】
ＳＴ５０５では、ＳＴ５０１において起動したタイマの満了に伴って、Ｅ−ＲＡＢ ＩＤ：Ｘのバッファリングデータを移動先ｅＮＢに向けてフォワーディングする。このとき、ＳＴ５０４においてバッファリングしたデータからフォワーディングを開始し、このデータを全て送信した後、ＳＴ５０３においてバッファリングしたデータのフォワーディングを開始する。なお、フォワーディング時、ＴＥＩＤをｅＮＢ Ｘ２ ＴＥＩＤ：Ｄに変更する。
【００８８】
次に、図４に示したＳＴ２２８の処理（UE Context Release）について図８を用いて詳細に説明する。図８において、ＳＴ６０１では、ｅＮＢからインテグレイティドＧＷへＵＥ ＣＯＮＴＥＸＴ ＲＥＬＥＡＳＥ（Ｏｌｄ ｅＮＢ ＵＥ Ｘ２ＡＰ ＩＤ：Ｔ，Ｎｅｗ ｅＮＢ ＵＥ Ｘ２ＡＰ ＩＤ：Ｕ）が送信され、ＳＴ６０２では、インテグレイティドＧＷがデータフォワーディング用に保持しているテーブル情報を削除する。
【００８９】
ＳＴ６０３では、インテグレイティドＧＷがＨｅＮＢへＵＥ ＣＯＮＴＥＸＴ ＲＥＬＥＡＳＥ（Ｏｌｄ ｅＮＢ ＵＥ Ｘ２ＡＰ ＩＤ：Ｓ，Ｎｅｗ ｅＮＢ ＵＥ Ｘ２ＡＰ ＩＤ：Ｖ）を送信する。
【００９０】
本発明の一実施の形態に係るインテグレイティドＧＷを用いて、ＨｅＮＢからｅＮＢにハンドオーバを実施した場合のＤＬデータのフォワーディングについて図９に示す。まず、Ｓ−ＧＷからＨｅＮＢに新たに送信されたデータのフォワーディング経路（図中実線の矢印で示す）について説明する。図９において、（１）では、Ｓ−ＧＷは、Ｓ１インタフェースを用いて、ＨｅＮＢ ＧＷ（インテグレイティドＧＷ）宛てにＧＴＰ−Ｕパケットを送信する。ＧＴＰ−ＵヘッダのＴＥＩＤには、Ｅ−ＲＡＢ確立時にＨｅＮＢ ＧＷによって割り当てられたＴＥＩＤ：Ａが設定される。
【００９１】
（２）では、Ｘ２ ＧＷ（インテグレイティドＧＷ）は、Ｘ２インタフェースを用いて、ｅＮＢ宛てにＧＴＰ−Ｕパケットを転送する。ＧＴＰ−ＵヘッダのＴＥＩＤは、ハンドオーバ準備時にｅＮＢによって割り当てられたＴＥＩＤ：Ｄに変更される。
【００９２】
次に、ＨｅＮＢで送達確認が取れなかったデータのフォワーディング経路（図中点線の矢印で示す）について説明する。図９において、（１）’では、ＨｅＮＢは、ＲＬＣ ＡＲＱで送達確認が取れていないＰＤＣＰ ＳＤＵをＸ２ ＧＷ（インテグレイティドＧＷ）宛てにＧＴＰ−Ｕにより転送する。ＧＴＰ−ＵヘッダのＴＥＩＤは、ハンドオーバ準備時にＸ２ ＧＷ（インテグレイティドＧＷ）によって割り当てられたＴＥＩＤ：Ｃが設定される。また、ＧＴＰ−Ｕヘッダには、未送達であったＰＤＣＰ ＰＤＵのシーケンスナンバーが付与される。
【００９３】
（２）’では、Ｘ２ ＧＷ（インテグレイティドＧＷ）は、Ｘ２インタフェースを用いて、ｅＮＢ宛てにＧＴＰ−Ｕパケットを送信する。ＧＴＰ−ＵヘッダのＴＥＩＤは、ハンドオーバ準備時にｅＮＢによって割り当てられたＴＥＩＤ：Ｄに変更される。なお、送信順序の順序性を維持するため、（２）’は（２）より先に行われる。
【００９４】
このように、本実施の形態によれば、ＨｅＮＢ ＧＷ及びＸ２ ＧＷを物理的に統合したインテグレイティドＧＷにおいて、ハンドオーバされるＥ−ＲＡＢ ＩＤと、Ｓ１インタフェースでデータ転送用に用いるＴＥＩＤと、ハンドオーバされるＥ−ＲＡＢデータのフォワーディングを行うＸ２インタフェースでデータ転送用に用いるＴＥＩＤとを関連付けてテーブルに保持し、ＵＥのＨｅＮＢからｅＮＢへのハンドオーバ時に、保持したテーブルを参照して、Ｓ−ＧＷから受信したデータをｅＮＢに転送する。これにより、インテグレイティドＧＷ及びＨｅＮＢ間のデータ量を削減することができるので、ハンドオーバが発生する場合においても、オペレータネットワークのリソースを有効に利用することができる。
【産業上の利用可能性】
【００９５】
本発明にかかるゲートウェイ装置及び通信方法は、ＨｅＮＢを含む移動通信ネットワークに適用できる。
【符号の説明】
【００９６】
１０１  ＤＬ Ｓ１インタフェース受信部
１０２  ＤＬ Ｓ１メッセージ解析部
１０３  ＤＬ Ｓ１メッセージ生成部
１０４  ＤＬ Ｓ１インタフェース送信部
１０５  ＤＬ Ｓ１データバッファリング部
１０６  ＵＬ Ｓ１インタフェース受信部
１０７  ＵＬ Ｓ１メッセージ解析部
１０８  ＵＬ Ｓ１メッセージ生成部
１０９  ＵＬ Ｓ１インタフェース送信部
１１０  ＨｅＮＢ宛てＸ２インタフェース受信部
１１１  ＨｅＮＢ宛てＸ２メッセージ解析部
１１２  ＨｅＮＢ宛てＸ２メッセージ生成部
１１３  ＨｅＮＢ宛てＸ２インタフェース送信部
１１４  ｅＮＢ宛てＸ２インタフェース受信部
１１５  ｅＮＢ宛てＸ２メッセージ解析部
１１６  ｅＮＢ宛てＸ２メッセージ生成部
１１７  ｅＮＢ宛てＸ２インタフェース送信部
１１８  フォワーディングデータバッファリング部
１１９  フォワーディングデータ生成部
１２０  バッファリングタイマ管理部
１２１  フォワーディングテーブル管理部
【図１】
2013150204.tif 000003
【図２】
2013150204.tif 000004
【図３】
2013150204.tif 000005
【図４】
2013150204.tif 000006
【図５】
2013150204.tif 000007
【図６】
2013150204.tif 000008
【図７】
2013150204.tif 000009
【図８】
2013150204.tif 000010
【図９】
2013150204.tif 000011